(57)【要約】  本発明は、再充電可能なセルを有する電池を充電する方法に関する。本発明によれば、ｉ≧２である電池のｉ番目の充電を実行するべく、充電器に対する充電端子の接続が検出され、これにより、先取りバイパス時間（ＴＰｊｉ）におけるそのバイパス回路に対するセルの接続がトリガされる。次に、それぞれのセルごとに、第２フェーズ（Ｃｊｉ）において、セルの電圧が予め設定された電圧に到達する時点まで、バイパス回路がセルから接続切断され、ｉ番目の充電用の先取りバイパス時間（ＴＰｊｉ）は、すべてのセルが予め設定された電圧に到達する時点までのこのセルと関連付けられたバイパス回路の、少なくとも１つの先行する充電における、合計接続時間の関数として、算出されたものである。ｉ番目の充電用の第１時間（ＴＰｊｉ）及び／又は前記合計接続時間の判定を許容する少なくとも１つの時間長は、少なくとも１つの先行する充電において電池のメモリ内に記憶されたものである。【選択図】    図６
2015527035.tif 000002
【特許請求の範囲】
【請求項１】
複数の再充電可能なセル（ｊ）と、
前記セルを充電するための、且つ、充電器（１００）に対して接続可能である、端子（１１、１２）と、
それぞれのセル（ｊ）と関連付けられたバイパス回路（ＣＰＣｊ）と、
その関連付けられたバイパス回路（ＣＰＣｊ）との間におけるそれぞれのセル（ｊ）の接続及び接続切断を許容するスイッチング要素（ＳＷｊ）と、
前記スイッチング要素（ＳＷｊ）を制御する制御手段（２０）と、
を有する電池（１０）を充電する方法であって、
ｉが２以上である状態で、前記電池のｉ番目の充電を実行するために、
前記充電器に対する前記充電端子の接続が検出され、
前記充電器に対する前記充電端子の前記接続の前記検出は、第１フェーズにおいて、個々に前記セル（ｊ）と関連付けられた個々の第１先取りバイパス時間（ＴＰｊｉ）にわたるその関連付けられたバイパス回路（ＣＰＣｊ）に対する前記セル（ｊ）の接続をトリガし、
−次いで、それぞれのセル（ｊ）ごとに、前記第１時間（ＴＰｊｉ）が経過したら、第２の関連付けられたフェーズ（Ｃｊｉ）において、前記関連付けられたバイパス回路（ＣＰＣｊ）は、前記セル（ｊ）の電圧（Ｖｊｉ）が、前記セル（ｊ）について規定されると共に非ゼロである予め設定された電圧（ＶＬＩＭ）に到達する時点まで、セル（ｊ）から接続切断され、
前記ｉ番目の充電用のセル（ｊ）と個々に関連付けられた前記第１先取りバイパス時間（ＴＰｊｉ）は、前記セルのすべてが前記予め設定された電圧（ＶＬＩＭ）に到達する時点までの、このセル（ｊ）に対する前記関連付けられたバイパス回路（ＣＰＣｊ）の、少なくとも１回の以前の充電における、合計接続時間の関数として、算出されており、
前記セル（ｊ）と関連付けられた少なくとも１つの期間は、
−前記ｉ番目の充電用の前記第１先取りバイパス時間（ＴＰｊｉ）及び／又は、
−この少なくとも１回の以前の充電におけるこのセル（ｊ）に対する前記関連付けられたバイパス回路（ＣＰＣｊ）の前記合計接続時間、
の判定を許容し、
この少なくとも１回の以前の充電において前記電池のメモリ（２１）内に記憶されている、
ことを特徴とする方法。
【請求項２】
前記セル（ｊ）の少なくとも１つについて、前記第２フェーズの末尾において、前記関連付けられたバイパス回路（ＣＰＣｊ）は、前記セル（ｊ）の前記電圧（Ｖｊｉ）が、少なくとも前記セル（ｊ）の前記電圧（Ｖｊｉ）のすべてが前記予め設定された電圧（ＶＬＩＭ）に到達する時点まで、関連付けられた充電維持第３フェーズ（Ｍｊｉ）において閾値充電電圧（ＶＬＩＭ）を超過しないように、前記セル（ｊ）に接続されることを特徴とする請求項１に記載の方法。
【請求項３】
前記第３フェーズにおける前記セル（ｊ）に対する前記関連付けられたバイパス回路（ＣＰＣｊ）の第３接続時間（Ｍｊｉ）が計測され、
前記ｉ番目の充電用の前記セル（ｊ）と関連付けられた前記第１既定先取りバイパス時間（ＴＰｊｉ）は、少なくとも１回の以前の充電の前記第１フェーズにおける前記セル（ｊ）に対する前記関連付けられたバイパス回路（ＣＰＣｊ）の前記第１接続時間（ＴＰｊｉ−１）及び前記少なくとも１回の以前の充電の前記第３フェーズにおける前記セル（ｊ）に対する前記関連付けられたバイパス回路（ＣＰＣｊ）の前記第３接続時間（Ｍｊｉ−１）を少なくとも考慮していることを特徴とする請求項２に記載の方法。
【請求項４】
それぞれのセル（ｊ）は、前記セル（ｊ）の前記電圧（Ｖｊｉ）を計測するために計測要素（ＭＥＳｊ）と関連付けられると共に、前記第３バイパスフェーズ（Ｍｊｉ）の前記第３バイパス時間（Ｍｊｉ）を計数するためにカウンタ（ＣＴｊ）と関連付けられており、前記計測要素（ＭＥＳｊ）は、前記セル（ｊ）の前記計測電圧（Ｖｊｉ）を前記予め設定された電圧（ＶＬＩＭ）と比較する能力を有すると共に、前記セル（ｊ）の前記電圧（Ｖｊｉ）が前記予め設定された電圧（ＶＬＩＭ）に到達した際に前記第３バイパス時間（Ｍｊｉ）の前記カウンタ（ＣＴｊ）による計数をトリガする能力を有することを特徴とする請求項３に記載の方法。
【請求項５】
前記カウンタ（ＣＴｊ）は、前記第３バイパス時間（Ｍｊｉ）の末尾において、前記セルのすべてが前記予め設定された電圧（ＶＬＩＭ）に到達した瞬間を計数するように制御されている請求項４に記載の方法。
【請求項６】
前記ｉ番目の充電用のセル（ｊ）と個々に関連付けられた前記第１先取りバイパス時間（ＴＰｊｉ）は、前記セルのすべてが前記予め設定された電圧（ＶＬＩＭ）に到達する時点までの、このセル（ｊ）に対する前記関連付けられたバイパス回路（ＣＰＣｊ）の、ｉ−１番目の充電における、前記合計接続時間の関数として、算出されることを特徴とする請求項１乃至５のいずれか一項に記載の方法。
【請求項７】
前記セル（ｊ）と関連付けられた前記少なくとも１つの期間は、
−前記ｉ番目の充電用の前記第１先取りバイパス時間（ＴＰｊｉ）及び／又は、
−前記ｉ−１番目の充電におけるこのセル（ｊ）に対する前記関連付けられたバイパス回路（ＣＰＣｊ）の前記合計接続時間、
の判定を許容し、
前記ｉ−１番目の充電において前記電池のメモリ（２１）内に記憶されていることを特徴とする請求項１乃至６のいずれか一項に記載の方法。
【請求項８】
前記少なくとも１回の以前の充電において、記憶される前記セル（ｊ）と関連付けられた前記期間は、少なくとも、前記ｉ番目の充電用の前記セル（ｊ）と個々に関連付けられた前記第１先取りバイパス時間（ＴＰｊｉ）であることを特徴とする請求項１乃至７のいずれか一項に記載の方法。
【請求項９】
前記少なくとも１回の以前の充電において、記憶される前記セル（ｊ）と関連付けられた前記期間は、少なくとも、この少なくとも１回の以前の充電における前記セル（ｊ）に対する前記関連付けられたバイパス回路（ＣＰＣｊ）の前記合計接続時間であることを特徴とする請求項１乃至８のいずれか一項に記載の方法。
【請求項１０】
前記ｉ番目の充電用の前記セルｊと個々に関連付けられた前記第１先取りバイパス時間ＴＰｊｉは、
ＴＰｊｉ＝ＴＰｊｉ−１＋Ｍｊｉ−１−ｍｉｎｊ（ＴＰｊｉ−１＋Ｍｊｉ−１）
として算出され、
この場合に、ｍｉｎｊ（ＴＰｊｉ−１＋Ｍｊｉ−１）は、前記セルｊ上におけるＴＰｊｉ−１＋Ｍｊｉ−１の最小値を表していることを特徴とする請求項９に記載の方法。
【請求項１１】
前記ｉ番目の充電用の前記セルｊと個々に関連付けられた前記第１先取りバイパス時間ＴＰｊｉは、
ＴＰｊｉ＝ａ．（ＴＰｊｉ−１＋Ｍｊｉ−１）−ｂ．ｍｉｎｊ（ＴＰｊｉ−１＋Ｍｊｉ−１）
として算出され、
この場合に、ｍｉｎｊ（ＴＰｊｉ−１＋Ｍｊｉ−１）は、前記セル（ｊ）上におけるＴＰｊｉ−１＋Ｍｊｉ−１の最小値を表し、且つ、ａ、ｂは、処方された非ゼロの係数であることを特徴とする請求項９に記載の方法。
【請求項１２】
前記計数ａ及びｂは、前記充電器に対するその接続が検出された際に前記電池の充電レベルの関数として判定される請求項１乃至１１のいずれか一項に記載の方法。
【請求項１３】
前記電池のそれぞれのセル（ｊ）の前記第１充電において、
前記充電器に対する前記充電端子（１１、１２）の前記接続が検出され、
前記充電器に対する前記充電端子（１１、１２）の前記接続の前記検出は、第２の関連付けられたフェーズ（Ｃｊ１）において、前記セル（ｊ）の個々の電圧（Ｖｊ１）が前記予め設定された電圧（ＶＬＩＭ）に到達する時点まで、前記セル（ｊ）を充電するためのその関連付けられたバイパス回路（ＣＰＣｊ）からのそれぞれのセル（ｊ）の接続切断をトリガし、
次いで、前記セル（ｊ）の少なくとも１つについて、前記第２の関連付けられたフェーズ（Ｃｊ１）の末尾において、前記関連付けられたバイパス回路（ＣＰＣｊ）は、前記セル（ｊ）の電圧（Ｖｊ１）のすべてが前記予め設定された電圧（ＶＬＩＭ）に到達する時点まで、前記セル（ｊ）の電圧（Ｖｊ１）が、関連付けられた充電維持第３フェーズ（Ｍｊ１）において前記閾値充電電圧（ＶＬＩＭ）を超過しないように、前記セル（ｊ）に対して接続され
前記セル（ｊ）と個々に関連付けられると共に少なくとも前記第２充電について有効である前記第１先取りバイパス時間（ＴＰｊ２）は、前記第１充電の前記第３フェーズ（Ｍｊ１）における前記セル（ｊ）に対する前記関連付けられたバイパス回路（ＣＰＣｊ）の前記第３接続時間（Ｍｊ１）に対応している、
ことを特徴とする請求項１乃至１２のいずれか一項に記載の方法。
【請求項１４】
前記予め設定された電圧（ＶＬＩＭ）は、前記セル（ｊ）について規定されると共に非ゼロである閾値充電電圧以下の電圧であることを特徴とする請求項１乃至１３のいずれか一項に記載の方法。
【請求項１５】
複数の再充電可能なセル（ｊ）と、
前記セルを充電するための、且つ、充電器（１００）に接続可能である、端子（１１、１２）と、
それぞれのセル（ｊ）と関連付けられたバイパス回路（ＣＰＣｊ）と、
それぞれのセル（ｊ）がその関連付けられたバイパス回路（ＣＰＣｊ）との間において接続及び接続切断されることを許容するスイッチング要素（ＳＷｊ）と、
前記スイッチング要素（ＳＷｊ）を制御する制御手段（２０）と、
それぞれのセル（ｊ）の電圧（Ｖｊｉ）を計測する手段と、
を有する電池（１０）であって、
前記制御手段（２００）は、前記セルのすべてが予め設定された電圧（ＶＬＩＭ）に到達する時点までの、このセル（ｊ）に対する前記関連付けられたバイパス回路（ＣＰＣｊ）の、少なくとも１回の以前の充電における、合計接続時間の関数として、ｉ≧２であるｉ番目の充電用の前記セル（ｊ）と個々に関連付けられた第１先取りバイパス時間（ＴＰｊｉ）を演算する手段（２０）を有し、
前記電池は、前記セル（ｊ）と関連付けられた少なくとも１つの期間を記憶するための少なくとも１つのメモリ（２１）を有し、且つ、
−前記ｉ番目の充電用の前記第１先取りバイパス時間（ＴＰｊｉ）及び／又は、
−この少なくとも１回の以前の充電におけるこのセルに対する前記バイパス回路（ＣＰＣｊ）の前記合計接続時間
の判定を許容し、
前記電池は、前記充電器（１００）に対する前記充電端子（１１、１２）の接続を検出するための検出器を有し、
前記制御手段（２００）は、前記電池の前記ｉ番目の充電について、前記充電端子が前記充電器に接続されたことを前記検出器が検出したという事実に応答して、その関連付けられたバイパス回路（ＣＰＣｊ）に対する前記複数のセルの接続をトリガし、且つ、前記電池の前記ｉ番目の充電用の前記セル（ｊ）と個々に関連付けられた前記第１先取りバイパス時間（ＴＰｊｉ）におけるその関連付けられたバイパス回路（ＣＰＣｊ）に対するそれぞれのセル（ｊ）の接続を維持するように、設計されており、
前記制御手段（２００）は、前記第１先取りバイパス時間（ＴＰｊｉ）の末尾において、前記セル（ｊ）の電圧（Ｖｊｉ）が、前記セル（ｊ）について規定されると共に非ゼロである前記予め設定された電圧（ＶＬＩＭ）に到達する時点まで、前記電池の前記ｉ番目の充電用の第２の関連付けられたフェーズ（Ｃｊｉ）においてそれぞれのセル（ｊ）から前記関連付けられたバイパス回路（ＣＰＣｊ）を接続切断するように設計されている、
ことを特徴とする電池（１０）。
【発明の詳細な説明】
【技術分野】
【０００１】
本発明は、電池と、電池の充電方法と、に関する。
【背景技術】
【０００２】
本発明の用途の一分野は、例えば、電気自動車の駆動ラインに電力供給するためのエネルギー源として使用されるものなどの電池に関する。このタイプの電気自動車搭載型電池は、例えば、リチウム−金属−ポリマー技術のセルを収容している。
【０００３】
電池は、例えば、固定された機器に電力供給するためのその他の用途を有してもよく、且つ、例えば、リチウム−イオン技術などの別の技術を使用したセルを有してもよいことが明らかである。
【０００４】
これらの電池は、一般に、直列に接続された複数の基本セルから形成されており、これらの複数の基本セルは、適合された充電器に対して接続することによって充電することができる。
【０００５】
セルのそれぞれは、その独自の固有の特性を有し、これらの特性は、その他のセルの特性とは異なる場合がある。
【０００６】
但し、電池の充電は、単一の電源を、即ち、充電器を、使用して実行される。
【０００７】
一般に、既知の方法においては、すべてのその他のセルがその最大充電レベルに到達していない限り、既にフル充電済みのいくつかのセルの充電が継続される。
【０００８】
しかし、電池を充電する際に、その最大レベルに既に到達済みのセルに対して電力供給を継続すれば、その特性を劣化させる可能性があり、且つ、具体的には、その経年劣化を加速させる場合がある。
【０００９】
米国特許出願公開第２００２／００９４６２３号明細書は、複数の再充電可能なセルと、充電器に対して接続可能なセルの充電端子と、それぞれのセルと関連付けられたバイパス回路と、その関連付けられたバイパス回路との間のそれぞれのセルの接続及び接続切断を許容するスイッチング要素と、スイッチング要素を制御する手段と、を有する電池を充電する方法について記述しており、
一方法においては、電池セルを充電するために、セルの充電端子が充電器に接続され、且つ、スイッチング要素を介して、それぞれのセルが、既定の時間長にわたってその関連付けられたバイパス回路に接続される。
【００１０】
更に詳しくは、米国特許出願公開第２００２／００９４６２３号明細書による充電方法は、所与の初期化電圧に到達する時点までそれぞれのセルを充電するためのステップと、既定の時間長にわたる回路によるセルの迂回を伴う初期化ステップと、フル充電電圧に到達する時点までの通常充電のステップと、定電圧充電による緩和ステップと、を連続的に提供している。
【００１１】
この既知の方法の欠点のうちの１つは、それぞれのセルがその他のセルとは異なる方式によって進捗を継続するという点にある。
【００１２】
別の欠点は、迂回を伴う初期化ステップにおいて無視不能な電流が流れるという点にある。
【００１３】
更なる欠点は、充電が既にほぼ始まり、これにより、（３Ｖのフル充電電圧の場合に）２．２Ｖの初期化電圧に到達したら、迂回を伴う初期化ステップが実行されるという点にある。
【発明の概要】
【発明が解決しようとする課題】
【００１４】
本発明は、従来技術の欠点を克服すると共に電池が充電されている際にそれぞれの異なるセルの駆動を許容する電池及び電池を充電する方法を得ることを目的としている。
【課題を解決するための手段】
【００１５】
この目的のために、本発明の第１の主題は、電池を充電する方法であり、電池が、複数の再充電可能なセルと、セルを充電するための、且つ、充電器に接続可能な、端子と、それぞれのセルと関連付けられたバイパス回路と、その関連付けられたバイパス回路との間におけるそれぞれのセルの接続及び接続切断を許容するスイッチング要素と、スイッチング要素を制御する制御手段と、を有する、方法において、
ｉが２以上である電池のｉ番目の充電を実行するために、
充電器に対する充電端子の接続が検出され、
充電器に対する充電端子の接続の検出により、第１フェーズにおいて、セルとそれぞれ関連付けられた個々の第１先取りバイパス時間にわたってその関連付けられたバイパス回路に対するセルの接続をトリガし、
−  次に、それぞれのセルごとに、第１時間が経過したら、第２の関連付けられたフェーズにおいて、セルの電圧が、セルのために規定されると共に非ゼロである予め設定された電圧に到達する時点まで、関連付けられたバイパス回路がセルから接続切断され、
ｉ番目の充電についてセルとそれぞれ関連付けられた第１先取りバイパス時間は、すべてのセルが予め設定された電圧に到達する時点まで、このセルに対する関連付けられたバイパス回路の、少なくとも１回の以前の充電における、合計接続時間の関数として、算出されたものであり、
セルと関連付けられた少なくとも１つの期間は、
−  ｉ番目の充電用の第１先取りバイパス時間及び／又は
−  この少なくとも１回の以前の充電におけるこのセルに対する関連付けられたバイパス回路の前記合計接続時間、
の判定を許容し、
この少なくとも１回の以前の充電において電池のメモリ内に記憶されたものである、
ことを特徴とする方法である。
【００１６】
第１フェーズは、少なくとも１つのセルについてゼロの時間長を有してもよいことに留意されたい。又、１つ又は複数の記憶される期間は、例えば、第１先取りバイパス時間又はこのセルに対するバイパス回路の合計接続期間を有してもよい。
【００１７】
本発明の一実施形態によれば、セルの少なくとも１つについて、第２フェーズの末尾において、セルの電圧が、少なくともセルの電圧のすべてが予め設定された電圧に到達する時点まで、関連付けられ充電維持第３フェーズにおいて、閾値充電電圧を超過しないように、関連付けられたバイパス回路がセルに対して接続される。
【００１８】
本発明の一実施形態によれば、第３フェーズにおいてセルに対して関連付けられたバイパス回路の第３接続期間（Ｍｊｉ）が計測され、
ｉ番目の充電用のセルと関連付けられた第１既定先取りバイパス時間は、少なくとも１回の以前の充電の第１フェーズにおけるセルに対する関連付けられたバイパス回路の第１接続時間と、前記少なくとも１回の以前の充電の第３フェーズにおけるセルに対して関連付けられたバイパス回路の第３接続時間と、を少なくとも考慮している。
【００１９】
本発明の一実施形態によれば、それぞれのセルは、セル電圧計測要素と関連付けられ、且つ、第３バイパスフェーズの第３バイパス時間のカウンタと関連付けられており、計測要素は、セルの計測電圧を予め設定された電圧と比較する能力を有し、且つ、セル電圧が予め設定された電圧に到達した際に第３バイパス時間のカウンタによる係数をトリガする能力を有する。
【００２０】
本発明の一実施形態によれば、カウンタは、第３バイパス時間の末尾において、すべてのセルが予め設定された電圧に到達した瞬間を計数するように、制御されている。
【００２１】
本発明の一実施形態によれば、ｉ番目の充電についてセルとそれぞれ関連付けられた第１先取りバイパス時間は、すべてのセルが予め設定された電圧に到達する時点までのこのセルに対する関連付けられたバイパス回路の、ｉ−１番目の充電における、合計接続時間の関数として算出される。
【００２２】
本発明の一実施形態によれば、セルと関連付けられた前記少なくとも１つの期間は、
−  ｉ番目の充電用の第１先取りバイパス時間及び／又は、
−  ｉ−１番目の充電におけるこのセルに対する関連付けられたバイパス回路の前記合計接続時間、
の判定を許容し、
ｉ−１番目の充電において電池のメモリ（２１）内に記憶されたものである。
【００２３】
本発明の一実施形態によれば、前記少なくとも１回の以前の充電において、記憶されるセルと関連付けられた期間は、少なくとも、ｉ番目の充電についてセルとそれぞれ関連付けられた第１先取りバイパス時間である。ｉ番目の充電用の第１先取りバイパス時間は、例えば、ｉ−１番目の充電において電池のメモリ内に記憶されたものである。従って、この期間は、ｉ−１番目の充電において算出されたものである。
【００２４】
ｉ−１番目の充電の合計バイパス接続時間又はこの合計時間（例えば、それぞれのセル（ｊ）ごとの第２フェーズの持続時間と関連付けられた電池の合計充電時間）の判定を許容する期間などのその他のパラメータは、この充電において記憶されていてもよい。
【００２５】
本発明の一実施形態によれば、前記少なくとも１回の以前の充電において、記憶されるセルと関連付けられた期間は、少なくとも、この少なくとも１回の以前の充電におけるこのセルに対する関連付けられたバイパス回路の前記合計接続時間である。
【００２６】
本発明の一実施形態によれば、ｉ番目の充電についてセルｊとそれぞれ関連付けられた第１先取りバイパス時間ＴＰｊｉは、以下のように算出され、
ＴＰｊｉ＝ＴＰｊｉ−１＋Ｍｊｉ−１−ｍｉｎｊ（ＴＰｊｉ−１＋Ｍｊｉ−１）
ここで、ｍｉｎｊ（ＴＰｊｉ−１＋Ｍｊｉ−１）は、セルｊ上におけるＴＰｊｉ−１＋Ｍｊｉ−１の最小値を表している。
【００２７】
本発明の一実施形態によれば、ｉ番目の充電についてセルｊとそれぞれ関連付けられた第１先取りバイパス時間ＴＰｊｉは、以下のように算出され、
ＴＰｊｉ＝ａ．（ＴＰｊｉ−１＋Ｍｊｉ−１）−ｂ．ｍｉｎｊ（ＴＰｊｉ−１＋Ｍｊｉ−１）
ここで、ｍｉｎｊ（ＴＰｊｉ−１＋Ｍｊｉ−１）は、セルｊ上におけるＴＰｊｉ−１＋Ｍｊｉ−１の最小値を表し、且つ、ａ、ｂは、規定された非ゼロの係数である。
【００２８】
本発明の一実施形態によれば、係数ａ及びｂは、充電器に対する電池の接続が検出された際の電池の充電レベルの関数として判定される。
【００２９】
一実施形態においては、ａ及びｂは、充電器に対するその接続が検出された際の電池の充電レベルに関係している。これらの係数は、具体的には、（１−ＮＣＲ）に比例することが可能であり、ここで、ＮＣＲは、電池内に残っている充電レベルである。又、係数ａ及びｂは、等しくてもよい。
【００３０】
一実施形態によれば、電池のそれぞれのセルの１回目の充電について、
充電器に対する充電端子の接続が検出され、
充電器に対する充電端子の接続の検出により、第２の関連付けられたフェーズにおいて、セルの個々の電圧が予め設定された電圧に到達する時点までセルを充電するためにその関連付けられたバイパス回路からのそれぞれのセルの接続切断をトリガし、
次いで、セルの少なくとも１つについて、第２の関連付けられたフェーズの末尾において、セルの電圧が、セルの電圧のすべてが予め設定された電圧に到達する時点まで、第３の関連付けられた充電維持フェーズにおいて、閾値充電電圧を超過しないように、関連付けられたバイパス回路がセルに接続され、
セルとそれぞれ関連付けられると共に少なくとも２回目の充電について有効である第１の先取りバイパス時間は、１回目の充電の第３フェーズにおけるセルに対する関連付けられたバイパス回路の第３接続時間に対応している。
【００３１】
本発明の一実施形態によれば、前記予め設定された電圧は、セル用に規定されると共に非ゼロである閾値充電電圧以下の電圧である。
【００３２】
本発明の一実施形態によれば、セルは、薄膜組立体によって形成されている。
【００３３】
本発明の一実施形態によれば、セルは、２０℃超の公称動作温度を有する。
【００３４】
本発明の更なる主題は、複数の再充電可能なセルと、セルを充電するための、且つ、充電器に接続可能な、端子と、それぞれのセルと関連付けられたバイパス回路と、それぞれのセルがその関連付けられたバイパス回路との間において接続及び接続切断されることを許容するスイッチング要素と、スイッチング要素を制御するための制御手段と、それぞれのセルの電圧を計測する手段と、を有する電池において、
制御手段は、ｉ≧２であるｉ番目の充電についてセルとそれぞれ関連付けられた第１先取りバイパス時間を、すべてのセルが予め設定された電圧に到達する時点までのこのセルに対する関連付けられたバイパス回路の、少なくとも１回の以前の充電における、合計接続時間の関数として、演算する手段を有し、
電池は、セルと関連付けられた少なくとも１つの期間を記憶するための少なくとも１つのメモリを有し、且つ、
−  ｉ番目の充電用の第１先取りバイパス時間及び／又は、
−  この少なくとも１回の以前の充電におけるこのセルに対するバイパス回路の前記合計接続時間、
の判定を許容し、
電池は、充電器に対する充電端子の接続を検出する検出器を有し、
制御手段は、電池のｉ番目の充電について、充電端子が充電器に接続されたことを検出器が検出したという事実に応答して、その関連付けられたバイパス回路に対する複数のセルの接続をトリガし、且つ、電池のｉ番目の充電についてセルとそれぞれ関連付けられた第１先取りバイパス時間においてその関連付けられたバイパス回路に対するそれぞれのセルの接続を維持するように、設計されており、
制御手段は、第１先取りバイパス時間の末尾において、セルの電圧が、セル（ｊ）について規定されると共に非ゼロである予め設定された電圧に到達する時点まで、電池のｉ番目の充電について第２の関連付けられたフェーズにおいてそれぞれのセルから関連付けられたバイパス回路を接続切断するように設計されている、
ことを特徴とする電池である。
【００３５】
本発明は、非限定的な例としてのみ添付図面を参照して付与される以下の説明を参照することにより、更に十分に理解することができよう。
【図面の簡単な説明】
【００３６】
【図１】本発明による電池の一実施形態を概略的に示す。
【図２】本発明の充電方法のフローチャートの一例を概略的に示す。
【図３】電池の１回目の充電において本発明の充電方法を実装する際の電池の異なるセルの異なる動作フェーズのタイミングチャートを概略的に示す。
【図４】電池の２回目の充電について本発明の充電方法を実装する際の電池の異なるセルの異なる動作フェーズのタイミングチャートを概略的に示す。
【図５】電池のｉ−１番目の充電について本発明の充電方法を実装する際の電池の異なるセルの異なる動作フェーズのタイミングチャートを概略的に示す。
【図６】電池のｉ番目の充電について本発明の充電方法を実装する際の電池の異なるセルの異なる動作フェーズのタイミングチャートを概略的に示す。
【図７】１回目の充電におけるＸ軸に沿った時間の関数として電池の異なるセルのＹ軸に沿った電圧曲線を概略的に示す。
【図８】ｉ番目の充電におけるＸ軸に沿った時間の関数として電池のセルのＹ軸に沿った電圧曲線を概略的に示す。
【発明を実施するための形態】
【００３７】
添付図面においては、電池１０は、全体的にセルｊによって表されるＮ個のセル１、．．．、ｊ、．．．Ｎを有し、ここで、Ｎは、２以上である。
【００３８】
以下においては、例えば、セルｊ、ｋ、ｌ、ｍ、ｐ、ｑ、ｒについて、以下のようになっている。
１≧ｊ≧Ｎ
１≧ｋ≧Ｎ
１≧ｌ≧Ｎ
１≧ｍ≧Ｎ
１≧ｐ≧Ｎ
１≧ｑ≧Ｎ
１≧ｒ≧Ｎ
【００３９】
以下、添付図面に示されている実施形態を参照し、本発明について説明するが、この場合に、例えば、セルｊは、例えば、リチウム−金属−ポリマーの形態の薄膜の組立体によって形成されている。例えば、これらの薄膜の合計厚さは、３００マイクロメートル未満であり、且つ、例えば、約１５０マイクロメートルであってもよい。セルは、リチウム−金属−ポリマー技術の場合には、例えば、９０℃などの２０℃超の公称動作温度を有する。
【００４０】
以下の説明においては、セルｊは、直列状態にある。セルは、例えば、直列状態にあり、且つ、それぞれ、再充電及び放電可能である。セルは、例えば、同一であってもよい。
【００４１】
電池１０は、その独自のセルｊを制御する制御ユニット２０を有する。
【００４２】
電池１０は、セルｊを充電するための端子１１、１２を有する。充電端子１１、１２は、互いに別個になっている。例えば、セルｊを充電するための少なくとも１つの第１充電端子１１と、セルｊを充電するための第２充電端子１２と、が設けられる。すべてのセルｊは、例えば、充電端子１１、１２の間に接続される。セルｊは、例えば、充電端子１１、１２の間に、直列状態で接続される。充電端子１１、１２は、例えば、外部充電器１００などの充電器１００に接続することができる。充電器１００は、それぞれ充電端子１１、１２に対する接続のための接続端子１０１、１０２と、端子１０１及び１０２が電池１０の端子１１及び１２に接続された際に充電電流を送ってセルｊを充電するべく端子１０１及び１０２の間に接続された充電部材１０３と、を有する。セルがフル充電されているという事実は、その個々のセル端子の間の電圧が、絶対値において、例えば、絶対値において最大電圧であると共に非ゼロである予め設定された閾値充電電圧に等しいという事実に対応している。セルがフル充電されていない又は部分的にフル放電された状態にあるという事実は、その個々のセル端子の間の電圧が、絶対値において、予め設定された閾値充電電圧を下回るか又はゼロであるという事実に対応している。閾値充電電圧は、セルｊについて規定され、且つ、非ゼロである。それぞれのセルの個々の端子は、恐らくは、充電端子１１に接続された第１セル１の個々の端子及び充電端子１２に接続された最後のセルＮの個々の端子を除いて、電池の充電端子１１、１２とは異なっている。
【００４３】
電池は、例えば、セルｊをその公称動作温度に加熱するべく、特に、例えば、リチウム−金属−ポリマーの形態の薄膜組立体によって形成されたセルの場合には、例えば、端子１１、１２によって電流が供給される１つ又は複数のホットプレートの形態の、１つ又は複数の要素を有してもよい。
【００４４】
電池１０は、それぞれのセルｊと関連付けられたバイパス回路ＣＰＣｊも有する。更には、電池１０は、それぞれのセルｊがその関連付けられたバイパス回路ＣＰＣｊとの間において接続及び接続切断されることを許容するスイッチング要素ＳＷｊも有する。バイパス回路ＣＰＣｊがその関連付けられたセルｊに接続される際には、このバイパス回路ＣＰＣｊは、一例として、セル１及びその関連付けられたバイパス回路ＣＰＣ１について図１に示されているように、このセルＪと並列に接続される。
【００４５】
一般に、そのセルｊと関連付けられたそれぞれのバイパス回路ＣＰＣｊは、その関連付けられたセルｊと電気的に並列の状態にある。換言すれば、それぞれのバイパス回路ＣＰＣｊは、関連付けられたスイッチング要素ＳＷｊの接続位置において、関連付けられたセルｊの個々の端子に接続されている。従って、関連付けられたスイッチング要素ＳＷｊによるバイパス回路ＣＰＣｊの接続切断位置においては、充電器１００によって充電端子１１、１２上に送られる充電電流は、その充電又は再充電のためにセルｊに送られる。その関連付けられたセルｊに対するバイパス回路ＣＰＣｊの接続位置においては、充電器１００によって充電端子１１、１２上に送られる充電電流は、部分的に又は完全に、セルｊを迂回し、即ち、端子１１、１２に到達する充電電流の少なくとも一部分がバイパス回路ＣＰＣｊ内に転送される。バイパス回路ＣＰＣｊは、例えば、それぞれのセルｊごとに、１つ又は複数の電気抵抗Ｒｊを有する。
【００４６】
スイッチング要素ＳＷｊは、例えば、接続位置において閉路されると共に接続切断位置において開路状態にあるスイッチＩＮＴｊを有する。スイッチング要素ＳＷｊは、例えば、関連付けられたバイパス回路ＣＰＣｊとの間において直列状態に配置され、この場合に、このスイッチング要素ＳＷｊ及びこのバイパス回路ＣＰＣｊを直列状態において有するこの回路は、関連付けられたセルｊと並列状態において接続されている。
【００４７】
電池１０は、その接続位置から接続切断位置への変化の個々の制御のために、スイッチング要素ＳＷｊを制御するための手段２００も有する。それぞれのスイッチング要素ＳＷｊは、例えば、制御手段２０の一部分を形成するユニット２０に接続された制御入力Ｅｊを有する。制御手段２０、２００は、例えば、具体的には、スイッチング要素ＳＷｊを制御するべく、例えば、コンピュータ又は少なくとも１つのマイクロプロセッサが設けられた電気基板から形成されている。
【００４８】
従って、制御手段２００は、個々のスイッチング要素ＳＷｊを制御して後述するセルの異なるフェーズを実装する。
【００４９】
本発明によれば、１回目の充電の後の後続する電池１０のそれぞれの充電について、即ち、ｉが２以上であるｉ番目の充電について、それぞれ、セルｊについて先取りバイパス時間ＴＰｊｉを有する第１先取りバイパスフェーズが設けられ、このバイパス時間ＴＰｊｉは、少なくとも１回の以前の充電におけるこのセルｊに対する関連付けられたバイパス回路ＣＰＣｊの合計接続時間の関数として算出されたものであり、バイパス回路ＣＰＣｊのこの合計接続時間は、電池１０のすべてのセルｊがこの少なくとも１回の以前の充電において予め設定された電圧ＶＬＩＭに到達するために必要とされる時間である。ｉ番目の充電用のこの第１先取りバイパス時間ＴＰｊｉは、この少なくとも１回の以前の充電において電池１０のメモリ２１内にステップＭＥＭにおいて記憶されたものである。
【００５０】
一実施形態によれば、判定された電圧ＶＬＩＭは、閾値充電電圧に等しい。
【００５１】
一実施形態によれば、判定された電圧ＶＬＩＭは、閾値充電電圧以下の電圧であり、例えば、閾値充電電圧の９０％以上であると共に閾値充電電圧の１００％以下である固定値に等しい。
【００５２】
このｉ番目の充電について、第１先取りバイパス時間は、それぞれのセルｊごとに、第２の関連付けられたフェーズＣｊによって後続され、この第２フェーズにおいては、セルｊの電圧Ｖｊｉが予め設定されたＶＬＩＭに到達する時点まで、関連付けられたバイパス回路ＣＰＣｊがセルｊから接続切断される。従って、セルｊは、端子１１、１２に接続された充電器１００により、この第２フェーズＣｊにおいて充電される。既定の電圧ＶＬＩＭは、セルｊについて規定され、且つ、非ゼロである。
【００５３】
以下、例示を目的とした例として付与された図５及び図６を参照し、ｉ番目の充電において発生する異なるフェーズについて更に詳細に説明する。
【００５４】
まず、例示を目的とした例として付与された図３を参照し、以下、電池１０の１回目の充電において発生するステップについて説明する。
【００５５】
「関連付けられた」という用語は、セルｊと関連付けられた部分を意味しており、且つ、同一の添え字ｊ又はこの関連付けられたセルと同一のその他の添え字を有する。
【００５６】
１回目の充電ｉ＝１
１回目の充電においては、例えば、時点ｔ１において、充電端子１１、１２の充電器１００に対する接続が検出される。充電端子１１、１２の充電器１００に対する接続の検出により、セルｊの個々の電圧Ｖｊ１が予め設定された電圧ＶＬＩＭに到達する時点までセルｊを充電するために、その関連付けられたバイパス回路ＣＰＣｊからの、第２の関連付けられたフェーズＣｊ１における、それぞれのセルｊの接続切断をトリガする。
【００５７】
例えば、それぞれのセルｊごとに、セルｊの電圧を計測するべく計測要素ＭＥＳｊが設けられる。要素ＭＥＳｊによって計測されたセルｊの電圧Ｖｊｉは、制御手段２００に送られる。
【００５８】
次いで、セルｊの少なくとも１つについて、第２の関連付けられたフェーズＣｊ１の末尾において、即ち、このセルｊが予め設定された電圧ＶＬＩＭに到達した際に、すべてのセルｊ、ｋ、ｌ（並びに、その他のもの）の電圧Ｖｊ１、Ｖｋ１、Ｖｌ１が閾値充電電圧を超過しない時点まで、関連付けられたバイパス回路ＣＰＣｊをセルｊに接続することにより、関連付けられた充電維持第３フェーズＭｊ１において予め設定された電圧ＶＬＩＭにおいてセルｊの電圧Ｖｊ１を維持する。
【００５９】
従って、図３において観察することができるように、セルｊについて、１回目の充電（ｉ＝１）の際に、且つ、充電器に対する電池の接続が検出されたら即座に、セルｊをその関連付けられたバイパス回路ＣＰＣｊから接続切断するための第２フェーズＣｊ１が実装され、これは、第３充電維持時間Ｍｊ１だけ継続する充電維持第３フェーズＭｊ１によって後続される。
【００６０】
従って、１回目の充電（ｉ＝１）の際に、且つ、充電器に対する電池の接続が検出されたら即座に、セルｋについて、その関連付けられたバイパス回路ＣＰＣｋからセルｋを接続切断するための第２フェーズＣｋ１が実装され、これは、充電維持時間Ｍｋ１だけ継続する第３充電維持フェーズＭｋ１によって後続される。
【００６１】
１回目の充電（ｉ＝１）の際に、且つ、充電器に対する電池の接続が検出されたら即座に、セルｌについて、セルｌの個々の電圧Ｖｌ１が予め設定された電圧ＶＬＩＭに到達する時点までセルｌを充電するべく、その関連付けられたバイパス回路ＣＰＣｌからセルｌを接続切断するための第２フェーズＣｌ１が実装される。これは、ゼロの時間長だけ継続する充電維持第３フェーズＭｌ１によって後続され、その理由は、セルｌは、例えば、充電に最長の時間を所要し、且つ、従って、その電圧Ｖｌ１が予め設定された電圧ＶＬＩＭに到達するために最長の時間を所要するセルであるからである。これは、結局、セルｌは、関連付けられた充電維持フェーズＭｌ１を有しておらず、或いは、ゼロに等しい第３電界時時間Ｍｌ１だけ継続する関連付けられた充電維持フェーズＭｌ１を有するということになる。図３において観察することができるように、すべてのセルのうちで最長であるセルｌの第２フェーズＣｌ１の終了により、その他のセルｊ、ｋの充電維持第３フェーズＭｊ１、Ｍｋ１の終了がもたらされる。
【００６２】
この１回目の充電ｉ＝１におけるステップＭＥＭにおいて、１回目の充電の第３フェーズＭｊ１におけるセルｊに対する関連付けられたバイパス回路ＣＰＣｊの第３接続時間Ｍｊ１が、即ち、ＴＰｊ２＝Ｍｊ１が、セルｊとそれぞれ関連付けられた第１先取りバイパス時間ＴＰｊ２として、電池１０のメモリ２１内に記憶される。
【００６３】
同様に、例えば、セルｋなどのその他のセルの場合には、この１回目の充電ｉ＝１において、１回目の充電の第３フェーズＭｋ１におけるセルｋに対する関連するバイパス回路ＣＰＣｋの第３接続時間Ｍｋ１が、即ち、ＴＰｋ２＝Ｍｋ１が、セルｋとそれぞれ関連付けられた第１先取りバイパス時間ＴＰｋ２として、電池１０のメモリ２１内に記憶される。
【００６４】
セルｌの場合には、記憶される時間ＴＰｌ２はゼロである。
【００６５】
２回目の充電ｉ＝２
２回目の充電ｉ＝２においては、例えば、時点ｔ２において、充電器１００に対する充電端子１１、１２の接続が、図４に例示を目的として示されているように、検出される。
【００６６】
充電器１００に対する充電端子１１、１２の接続は、検出されたら、セルｊ、ｋ、及びｍと関連付けられた第１先取りバイパス時間ＴＰｊ２＝Ｍｊ１、ＴＰｋ２＝Ｍｋ１、ＴＰｍ２＝Ｍｍ１にわたるそれぞれその関連付けられたバイパス回路ＣＰＣｊ、ＣＰＣｋ、ＣＰＣｍに対するセルｊ、ｋ、ｍの接続をトリガする。２回目の充電についてセルｊ、ｋ、ｍとそれぞれ関連付けられたこれらの第１先取りバイパス時間ＴＰｊ２、ＴＰｋ２、ＴＰｍ２は、これらのセルｊ、ｋ、ｍに対する関連付けられたバイパス回路ＣＰＣｊ、ＣＰＣｋ、ＣＰＣｍの合計接続時間の関数として算出されたものであり、前記合計接続時間は、１回目の以前の充電（ｉ＝１）において判定されたものであり、且つ、すべてのセルｊ、ｋ、ｍが予め設定された電圧ＶＬＩＭに到達するために必要とされる時間であった。２回目の充電用のこの第１先取りバイパス時間ＴＰｊ２、ＴＰｋ２、ＴＰｍ２は、ステップＭＥＭにおいて、この１回目の以前の充電において電池１０のメモリ２１内に記憶されたものである。この同一の内容は、第１の先取りバイパス時間ＴＰｌ２＝０であると共に第２フェーズＣｌ２が２回目の充電ｉ＝２の初期開始時間ｔ２の直後に実行される少なくとも１つのセルｌを除いて、すべてのセルに対して適用される。
【００６７】
この後に、それぞれのセルｊ、ｋ、ｍ、ｌについて、即ち、すべてのセルについて、第２の関連付けられたフェーズＣｊ２、Ｃｋ２、Ｃｍ２、Ｃｌ２が実行され、この第２フェーズにおいては、セルｊ、ｋ、ｍ、ｌの電圧Ｖｊ２、Ｖｋ２、Ｖｍ２、Ｖｌ２が、予め設定された電圧ＶＬＩＭに到達する時点まで、関連付けられたバイパス回路ＣＰＣｊ、ＣＰＣｋ、ＣＰＣｍ、ＣＰＣｌがセルｊ、ｋ、ｍ、ｌから接続切断される。この第２フェーズＣｊ２、Ｃｋ２、Ｃｍ２、Ｃｌ２において、対応するセルｊ、ｋ、ｌ、ｍは、充電器１００によって端子１１、１２上に送られる充電電流により、最大で予め設定された電圧ＶＬＩＭまで再充電される。
【００６８】
従って、第２の関連付けられたフェーズＣｊ２、Ｃｋ２、Ｃｍ２、Ｃｌ２のすべては、正確に同時に終了することが可能である。これは、理想的なケースである。このケースにおいては、セルのために、第２フェーズの後に第３充電維持フェーズを実行することが不要となろう。但し、実際には、第２フェーズＣｊ２、Ｃｋ２、Ｃｍ２、Ｃｌ２は、同時には終了しない場合があり、即ち、第２フェーズＣｍ２が、その他のセルと比べて、セルｍについて最後に終了する場合がある。このケースにおいては、その第２の関連付けられたフェーズＣｍ２が最後に終了する１つ又は複数のセルｍ以外のセルのすべてについて、それぞれ、セルｊ、ｋ、ｌについて、第３充電維持フェーズＭｊ２、Ｍｋ２、Ｍｌ２が設けられる。これは、結局、セルｍの第２フェーズＣｍ２が、Ｍｍ２＝０である、即ち、ゼロの持続時間を有する第３充電維持時間Ｍｍ２だけ継続する、第３の関連付けられたフェーズによって後続されることをもたらす。
【００６９】
制御手段２０は、電池１０を制御する制御ユニット２００の一部分である。電池を制御するこの制御ユニット２００は、セルｊの電圧Ｖｊｉを計測する要素ＭＥＳｊに加えて、クロックＨと、それぞれのセルｊとそれぞれ関連付けられたカウンタＣＴｊと、を有する。
【００７０】
一実施形態によれば、それぞれのセルｊは、セルｊの電圧Ｖｊｉを計測するために計測要素ＭＥＳｊと関連付けられ、且つ、第３バイパスフェーズＭｊｉの第３バイパス時間Ｍｊｉを計数するためにカウンタＣＴｊと関連付けられており、計測要素ＭＥＳｊは、セルｊの計測電圧Ｖｊｉを予め設定された電圧ＶＬＩＭと比較する能力を有し、且つ、セルｊの電圧Ｖｊｉが予め設定された電圧ＶＬＩＭに到達した時間を第３バイパス時間Ｍｊｉとして計数するように、カウンタＣＴｊをトリガする能力を有する。それぞれのカウンタは、計測要素から受け取った信号によってトリガされた瞬間からの、即ち、セルｊの電圧Ｖｊｉが予め設定された電圧ＶＬＩＭに到達した時点からの、経過時間を計数する。最後のセルｍが第２フェーズＣｍ２においてこの予め設定された電圧ＶＬＩＭに到達することにより、その他のセルｊ、ｋ、ｌのカウンタＣＴｊ、ＣＴｋ、ＣＴｌの停止がトリガされ、この結果、前記カウンタは、このようにして計数された第３充電維持期間Ｍｊ２、Ｍｋ２、Ｍｌ２を付与し、これらは、次いで、ステップＭＥＭにおいてメモリ２１内に記憶される。
【００７１】
同様に、それぞれ、セルｋ、ｌ、ｍ、ｐ、ｑ、ｒとの関連において、その個々の電圧Ｖｋｉ、Ｖｌｉ、Ｖｍｉ、Ｖｐｉ、Ｖｑｉ、Ｖｒｉを計測するための計測部材ＭＥＳｋ、ＭＥＳｌ、ＭＥＳｍ、ＭＥＳｐ、ＭＥＳｑ、ＭＥＳｒが、個々の関連付けられたセルｋ、ｌ、ｍ、ｐ、ｑ、ｒが予め設定された電圧ＶＬＩＭに到達した以降に経過した時間の個々のカウンタＣＴｋ、ＣＴｌ、ＣＴｍ、ＣＴｐ、ＣＴｑ、ＣＴｒが、そして、関連付けられたバイパス回路ＣＰＣｋ、ＣＰＣｌ、ＣＰＣｍ、ＣＰＣｐ、ＣＰＣｑ、ＣＰＣｒ、関連付けられたスイッチング要素ＳＷｋ、ＳＷｌ、ＳＷｍ、ＳＷｐ、ＳＷｑ、ＳＷｒ、関連付けられたスイッチＩＮＴｋ、ＩＮＴｌ、ＩＮＴｍ、ＩＮＴｐ、ＩＮＴｑ、ＩＮＴｒ、及び関連付けられた制御入力Ｅｋ、Ｅｌ、Ｅｍ、Ｅｐ、Ｅｑ、Ｅｒが、設けられる。
【００７２】
充電ｉ−１（ｉ≧２）
図５において、ｉ−１番目の充電においては、セルｊについて、充電端子１１、１２の充電器１００に対する接続が、時点ｔｉ−１において検出されている。充電器１００に対する充電端子のこの接続は、検出されたら、セルｊと関連付けられた第１先取りバイパス時間ＴＰｊｉ−１におけるその関連付けられたバイパス回路ＣＰＣｊに対するセルｊの接続をトリガする。次に、セルｊと関連付けられた第２フェーズＣｊｉ−１において、セルｊの電圧Ｖｊｉ−１が、セルｊの充電のために予め設定された電圧ＶＬＩＭに到達する時点まで、関連付けられたバイパス回路ＣＰＣｊがセルｊから接続切断される。第２フェーズＣｊｉ−１の末尾において、セルｊの電圧Ｖｊｉ−１が、少なくともすべてのセルの電圧が予め設定された電圧ＶＬＩＭに到達する時点まで、関連付けられた充電維持第３フェーズＭｊｉ−１において閾値充電電圧を超過しないように、バイパス回路ＣＰＣｊが、関連付けられたセルｊに接続される。
【００７３】
同様に、それぞれ、セルｋ、ｍ、及びｌについて、第１先取りバイパス時間ＴＰｋｉ−１、ＴＰｍｉ−１、ＴＰｌｉ−１が、その後に、セルｋ、ｍ、ｌを最大で予め設定されたＶＬＩＭまで充電するための第２の関連付けられたフェーズＣｋｉ−１、Ｃｍｉ−１、Ｃｌｉ−１が、そして、その後に、個々のセルｋ、ｍ、ｌに対する関連付けられたバイパス回路ＣＰＣｋ、ＣＰＣｍ、ＣＰＣｌの第３接続時間Ｍｋｉ−１、Ｍｍｉ−１、Ｍｌｉ−１を有する第３充電維持フェーズが、設けられる。
【００７４】
充電ｉ−１においては、以前に、予め設定されたＶＬＩＭに到達するのが最後であったことから、セルｑは、第１時間ＴＰｑｉ−１を有し、且つ、従って、充電器１００に対する充電端子１１、１２の接続は、セルｑについて、初期時点ｔｉ−１において、セルｑの電圧Ｖｑｉ−１が予め設定された電圧ＶＬＩＭに到達する時点までこのセルｑを充電するべく、関連付けられたバイパス回路ＣＰＣｑがセルｑから接続切断された際に、関連付けられた第２フェーズＣｑｉ−１をトリガするものと仮定される。次いで、この第２フェーズＣｑｉ−１の末尾において、関連付けられたバイパス回路ＣＰＣｑをセルｑに接続することにより、セルｑの電圧Ｖｑｉ−１を第３の関連付けられた充電維持フェーズＭｑｉ−１において予め設定された電圧ＶＬＩＭにおいて維持する。セルｑは、セルｊ、ｋ、ｍ、及びｌとは異なってもよく、或いは、これらのセルｊ、ｋ、ｍ、ｌのうちの１つであってもよいことが明らかである。
【００７５】
同様に、セルｐは、第１先取りバイパス時間ＴＰｐｉ−１を有するが、セルｐの電圧Ｖｐｉ−１が予め設定された電圧ＶＬＩＭに到達する時点まで関連付けられたバイパス回路ＣＰＣｐがセルｐから接続切断される第２の関連付けられたフェーズＣｐｉ−１においてこのセルｐを充電する際に、最後に予め設定された電圧ＶＬＩＭに到達するのは、このセルｐであると仮定される。この結果、このセルｐについては、充電維持第３フェーズＭｐｉ−１が存在しておらず、或いは、図５に示されているように、ゼロに等しい第３充電維持時間Ｍｐｉ−１だけ継続する充電維持第３フェーズが存在している。この結果、その他のセルｊ、ｋ、ｌ、ｍ、ｑの第３充電維持フェーズＭｊｉ−１、Ｍｋｉ−１、Ｍｌｉ−１、Ｍｍｉ−１、Ｍｑｉ−１が停止する。次いで、充電器１００を充電端子１１、１２から接続切断することができる。非ゼロの充電維持第３時間Ｍｐｉ−１だけ継続する充電維持第３フェーズＭｐｉ−１を想定可能であることが明らかであり、これは、相応して、その他のセルの充電維持第３フェーズを延長させることになろう。
【００７６】
一実施形態においては、例えば、第３充電維持フェーズがこの限度を超えた場合に自動的に停止するように、それぞれの充電維持第３フェーズの限度持続時間が設けられている。
【００７７】
一実施形態においては、セルｊ、ｋ、ｌ、ｍ、ｐ、ｑ、ｒの電圧Ｖｊｉ−１、Ｖｋｉ−１、Ｖｌｉ−１、Ｖｍｉ−１、Ｖｐｉ−１、Ｖｑｉ−１、Ｖｒｉ−１が、予め設定された電圧ＶＬＩＭに到達したという事実は、計測電圧をこの予め設定された電圧ＶＬＩＭと比較する関連付けられた電圧計測部材ＭＥＳｊ、ＭＥＳｋ、ＭＥＳｌ、ＭＥＳｍ、ＭＥＳｐ、ＭＥＳｑ、ＭＥＳｒによって検出されている。
【００７８】
一実施形態によれば、充電維持第３フェーズＭｊｉ−１、Ｍｋｉ−１、Ｍｌｉ−１、Ｍｍｉ−１、Ｍｐｉ−１、Ｍｑｉ−１、Ｍｒｉ−１におけるセルｊ、ｋ、ｌ、ｍ、ｐ、ｑ、ｒと関連付けられたバイパス回路ＣＰＣｊ、ＣＰＣｋ、ＣＰＣｌ、ＣＰＣｍ、ＣＰＣｐ、ＣＰＣｑ、ＣＰＣｒの第３接続期間Ｍｊｉ−１、Ｍｋｉ−１、Ｍｌｉ−１、Ｍｍｉ−１、Ｍｐｉ−１、Ｍｑｉ−１、Ｍｒｉ−１は、例えば、カウンタＣＴｊ、ＣＴｋ、ＣＴｌ、ＣＴｍ、ＣＴｐ、ＣＴｑ、ＣＴｒ及びクロックＨによって計測されている。
【００７９】
充電ｉ（ｉ≧２）
充電ｉの際に、例えば、時点ｔｉにおいて、充電器１００に対する充電端子１１、１２の接続が、図６に示された例示を目的とした例に示されているように、検出される。
【００８０】
充電器１００に対する充電端子１１、１２の接続は、検出されたら、セルｊ、ｋ、ｌ、ｍ、ｐ、ｒと関連付けられた個々の第１先取りバイパス時間ＴＰｊｉ、ＴＰｋｉ、ＴＰｌｉ、ＴＰｍｉ、ＴＰｐｉ、ＴＰｒｉにわたるその関連付けられたバイパス回路ＣＰＣｊ、ＣＰＣｋ、ＣＰＣｌ、ＣＰＣｍ、ＣＰＣｐ、ＣＰＣｒに対するセルｊ、ｋ、ｌ、ｍ、ｐ、ｒの接続をトリガする。充電ｉについてセルｊ、ｋ、ｌ、ｍ、ｐ、ｒとそれぞれ関連付けられたこれらの第１先取りバイパス時間ＴＰｊｉ、ＴＰｋｉ、ＴＰｌｉ、ＴＰｍｉ、ＴＰｐｉ、ＴＰｒｉは、これらのセルｊ、ｋ、ｌ、ｍ、ｐ、ｒに対する関連付けられたバイパス回路ＣＰＣｊ、ＣＰＣｋ、ＣＰＣｌ、ＣＰＣｍ、ＣＰＣｐ、ＣＰＣｒの合計接続時間の関数として算出されたものであり、前記合計接続時間は、例えば、充電ｉ−１などの少なくとも１回の以前の充電において判定されたものであり、且つ、例えば、以前の充電ｉ−１などのこの少なくとも１回の以前の充電においてすべてのセルｊ、ｋ、ｌ、ｍ、ｐ、ｒが予め設定されたＶＬＩＭに到達するために必要とされる時間であった。充電ｉ用のこの第１先取りバイパス時間ＴＰｊｉ、ＴＰｋｉ、ＴＰｌｉ、ＴＰｍｉ、ＴＰｐｉ、ＴＰｒｉは、例えば、以前の充電ｉ−１などのこの少なくとも１回の以前の充電において、ステップＭＥＭにおいて電池１０のメモリ２１内に記憶されたものである。同一の内容は、第１先取りバイパス時間ＴＰｑｉ＝０であると共にセルｑを最大で予め設定された電圧ＶＬＩＭに充電するべく充電ｉの初期開始時間ｔｉの直後に第２フェーズＣｑｉが実行される少なくとも１つのセルｑを除いて、すべてのセルに適用される。別の実施形態においては、充電ｉ用の第１バイパス時間の計算を許容する、例えば、充電ｉ−１などのこの少なくとも１回の以前の充電における関連付けられたセルｊ、ｋ、ｌ、ｍ、ｐ、ｒに対するバイパス回路ＣＰＣｊ、ＣＰＣｋ、ＣＰＣｌ、ＣＰＣｍ、ＣＰＣｐ、ＣＰＣｒの合計接続時間は、電池のメモリ２１内に記憶されたものである。別の実施形態におては、充電ｉ用の第１バイパス時間の計算を許容するｉ番目の充電用の第１先取りバイパス時間ＴＰｊｉ、ＴＰｋｉ、ＴＰｌｉ、ＴＰｍｉ、ＴＰｐｉ、ＴＰｒｉ及び／又は、例えば、充電ｉ−１などのこの少なくとも１回の以前の充電における関連付けられたセルｊ、ｋ、ｌ、ｍ、ｐ、ｒに対するバイパス回路ＣＰＣｊ、ＣＰＣｋ、ＣＰＣｌ、ＣＰＣｍ、ＣＰＣｐ、ＣＰＣｒの前記合計接続時間は、例えば、充電ｉ−１などのこの少なくとも１回の以前の充電において電池のメモリ２１内に記憶されたものである。
【００８１】
次に、それぞれのセルｊ、ｋ、ｌ、ｍ、ｐ、ｑ、ｒごとに、即ち、すべてのセルについて、第２の関連付けられたフェーズＣｊｉ、Ｃｋｉ、Ｃｌｉ、Ｃｍｉ、Ｃｐｉ、Ｃｑｉ、Ｃｒｉが実行され、この第２フェーズにおいては、セルｊ、ｋ、ｌ、ｍ、ｐ、ｑ、ｒの電圧Ｖｊｉ、Ｖｋｉ、Ｖｌｉ、Ｖｍｉ、Ｖｐｉ、Ｖｑｉ、Ｖｒｉが予め設定された電圧ＶＬＩＭに到達する時点まで、関連付けられたバイパス回路ＣＰＣｊ、ＣＰＣｋ、ＣＰＣｌ、ＣＰＣｍ、ＣＰＣｐ、ＣＰＣｑ、ＣＰＣｒがセルｊ、ｋ、ｌ、ｍ、ｐ、ｑ、ｒから接続切断される。この第２フェーズＣｊｉ、Ｃｋｉ、Ｃｌｉ、Ｃｍｉ、Ｃｐｉ、Ｃｑｉ、Ｃｒｉにおいて、対応するセルｊ、ｋ、ｌ、ｍ、ｐ、ｑ、ｒは、充電器１００によって端子１１、１２上に送られる充電電流により、最大で予め設定されたＶＬＩＭまで再充電される。
【００８２】
従って、すべての関連付けられた第２フェーズＣｊｉ、Ｃｋｉ、Ｃｌｉ、Ｃｍｉ、Ｃｐｉ、Ｃｑｉ、Ｃｒｉは、理想的なケースにおいては、正確に同時に終了することが可能である。このケースにおいては、第２フェーズの後に、セルについて充電維持第３フェーズを実行することが不要である。但し、実際には、第２フェーズＣｊｉ、Ｃｋｉ、Ｃｍｉ、Ｃｌｉは、すべてが同時に終了しない場合があり、即ち、第２フェーズＣｒｉが、その他のセルｊ、ｋ、ｌ、ｍ、ｐ、ｑとの関係において、セルｒについて最後に終了する場合がある。このケースにおいては、その第２の関連付けられたフェーズＣｒｉが最後に終了する１つ又は複数のセルｒ以外のすべてのセルについて、それぞれ、セルｊ、ｋ、ｌ、ｍ、ｐ、ｑについて、充電維持第３時間Ｍｊｉ、Ｍｋｉ、Ｍｌｉ、Ｍｍｉ、Ｍｐｉ、Ｍｑｉだけ継続する充電維持第３フェーズが設けられる。これは、結局、Ｍｒｉ＝０である、即ち、ゼロである充電維持第３時間Ｍｒｉだけ継続する第３の関連付けられたフェーズによって後続されるセルｒの第２フェーズＣｒｉが得られることになる。例示用の実施形態においては、例えば、少なくとも１つのセルｒが、そのバイパス回路ＣＰＣｒの接続において、予め設定された電圧ＶＬＩＭに最後に到達するという事実に起因し、又はこの少なくとも１つのセルｒの第３の関連付けられた充電維持フェーズＭｒｉがゼロの持続時間を有するという事実に起因し、トリガされた第２フェーズＣｒｉの終了により、その他のセルｊ、ｋ、ｌ、ｍ、ｐ、ｑの充電維持第３フェーズの第３持続時間Ｍｊｉ、Ｍｋｉ、Ｍｌｉ、Ｍｍｉ、Ｍｐｉ、Ｍｑｉの終了がトリガされる。次いで、充電器１００を充電端子１１、１２から接続切断することができる。非ゼロの充電維持第３持続時間Ｍｒｉを有する充電維持第３フェーズＭｒｉが設けることができることが明らかであり、これは、相応して、その他のセルの第３フェーズを延長させることになろう。セルｒは、セルｊ、ｋ、ｍ、ｌ、ｐとは異なってもよく、或いは、これらのセルｊ、ｋ、ｍ、ｌ、ｐのうちの１つのであってもよいことが明らかである。
【００８３】
一実施形態においては、セルｊ、ｋ、ｌ、ｍ、ｐ、ｑ、ｒの電圧Ｖｊｉ、Ｖｋｉ、Ｖｌｉ、Ｖｍｉ、Ｖｐｉ、Ｖｑｉ、Ｖｒｉが、予め設定された電圧ＶＬＩＭに到達したという事実が、計測された電圧Ｖｊｉ、Ｖｋｉ、Ｖｌｉ、Ｖｍｉ、Ｖｐｉ、Ｖｑｉ、Ｖｒｉをこの予め設定された電圧ＶＬＩＭと比較することにより、関連付けられた電圧計測部材ＭＥＳｊ、ＭＥＳｋ、ＭＥＳｌ、ＭＥＳｍ、ＭＥＳｐ、ＭＥＳｑ、ＭＥＳｒによって検出されている。
【００８４】
一実施形態によれば、充電維持第３フェーズＭｊｉ、Ｍｋｉ、Ｍｌｉ、Ｍｍｉ、Ｍｐｉ、Ｍｑｉ、Ｍｒｉにおけるセルｊ、ｋ、ｌ、ｍ、ｐ、ｑ、ｒと関連付けられたバイパス回路ＣＰＣｊ、ＣＰＣｋ、ＣＰＣｌ、ＣＰＣｍ、ＣＰＣｐ、ＣＰＣｑ、ＣＰＣｒの接続の第３持続時間Ｍｊｉ、Ｍｋｉ、Ｍｌｉ、Ｍｍｉ、Ｍｐｉ、Ｍｑｉ、Ｍｒｉは、例えば、カウンタＣＴｊ、ＣＴｋ、ＣＴｌ、ＣＴｍ、ＣＴｐ、ＣＴｑ、ＣＴｒ及びクロックＨを使用することによって計測されている。
【００８５】
一実施形態によれば、ｉ番目の充電用のセルｊ、ｋ、ｌ、ｍ、ｐ、ｒと関連付けられた第１既定先取りバイパス時間ＴＰｊｉ、ＴＰｋｉ、ＴＰｌｉ、ＴＰｍｉ、ＴＰｐｉ、ＴＰｒｉは、例えば、充電ｉ−１などの少なくとも１回の以前の充電の第１フェーズにおけるセルｊ、ｋ、ｌ、ｍ、ｐ、ｒと関連付けられたバイパス回路ＣＰＣｊ、ＣＰＣｋ、ＣＰＣｌ、ＣＰＣｍ、ＣＰＣｐ、ＣＰＣｒの第２接続時間ＴＰｊｉ−１、ＴＰｋｉ−１、ＴＰｌｉ−１、ＴＰｍｉ−１、ＴＰｐｉ−１、ＴＰｒｉ−１と、例えば、充電ｉ−１などのこの少なくとも１回の以前の充電の充電維持第３フェーズにおけるセルｊ、ｋ、ｌ、ｍ、ｐ、ｒと関連付けられたバイパス回路ＣＰＣｊの第３接続時間Ｍｊｉ、Ｍｋｉ、Ｍｌｉ、Ｍｍｉ、Ｍｐｉ、Ｍｒｉと、を考慮している。
【００８６】
一実施形態によれば、ｉ番目の充電用のセルｊ、ｋ、ｌ、ｍ、ｐ、ｒとそれぞれ関連付けられた第１先取りバイパス時間ＴＰｊｉ、ＴＰｋｉ、ＴＰｌｉ、ＴＰｍｉ、ＴＰｐｉ、ＴＰｒｉは、（ｉ−１）番目の充電において判定されると共にすべてのセルが予め設定された電圧ＶＬＩＭに到達するために必要とされたこのセルｊ、ｋ、ｌ、ｍ、ｐ、ｒに対する関連付けられたバイパス回路ＣＰＣｊ、ＣＰＣｋ、ＣＰＣｌ、ＣＰＣｍ、ＣＰＣｐ、ＣＰＣｒの少なくとも合計接続時間の関数として算出され、ｉ番目の充電用の第１先取りバイパス時間ＴＰｊｉ、ＴＰｋｉ、ＴＰｌｉ、ＴＰｍｉ、ＴＰｐｉ、ＴＰｒｉは、このｉ−１番目の充電において電池のメモリ内に記憶されたものである。
【００８７】
一実施形態においては、ｉ番目の充電用のセルｊとそれぞれ関連付けられた第１先取りバイパス時間ＴＰｊｉは、以下のように算出され、
ＴＰｊｉ＝ＴＰｊｉ−１＋Ｍｊｉ−１−ｍｉｎｊ（ＴＰｊｉ−１＋Ｍｊｉ−１）
ここで、ｍｉｎｊ（ＴＰｊｉ−１＋Ｍｊｉ−１）は、セルｊ上におけるＴＰｊｉ−１＋Ｍｊｉ−１の最小値を表している。
【００８８】
同様に、その他のセルｋ、ｌ、ｍ、ｐ、ｑ、ｒの場合にも、それぞれ、以下のとおりである。
ＴＰｋｉ＝ＴＰｋｉ−１＋Ｍｋｉ−１−ｍｉｎｊ（ＴＰｊｉ−１＋Ｍｊｉ−１）
ＴＰｌｉ＝ＴＰｌｉ−１＋Ｍｌｉ−１−ｍｉｎｊ（ＴＰｊｉ−１＋Ｍｊｉ−１）
ＴＰｍｉ＝ＴＰｍｉ−１＋Ｍｍｉ−１−ｍｉｎｊ（ＴＰｊｉ−１＋Ｍｊｉ−１）
ＴＰｐｉ＝ＴＰｐｉ−１＋Ｍｐｉ−１−ｍｉｎｊ（ＴＰｊｉ−１＋Ｍｊｉ−１）
ＴＰｑｉ＝ＴＰｑｉ−１＋Ｍｑｉ−１−ｍｉｎｊ（ＴＰｊｉ−１＋Ｍｊｉ−１）＝０
ＴＰｒｉ＝ＴＰｒｉ−１＋Ｍｒｉ−１−ｍｉｎｊ（ＴＰｊｉ−１＋Ｍｊｉ−１）
【００８９】
制御手段２００は、ｉ≧２であるｉ番目の充電用のセルｊとそれぞれ関連付けられた第１先取りバイパス時間ＴＰｊｉを、少なくとも１回の以前の充電において判定されると共にすべてのセルが既定の電圧ＶＬＩＭに到達するために必要されるこのセルｊに対する関連付けられたバイパス回路ＣＰＣｊの合計接続時間の関数として、演算する手段２０を有する。
【００９０】
電池は、少なくとも、ｉ番目の充電用の第１先取りバイパス時間ＴＰｊｉ及び／又はこの少なくとも１回の以前の充電におけるセルｊに対するバイパス回路ＣＰＣｊの前記合計接続時間を記憶するためのメモリ２１を有する。
【００９１】
電池は、充電器１００に対する充電端子１１、１２の接続を検出するための検出器を有する。この目的のために、例えば、充電ソケットの存在が、端子１１、１２上において検出され、この場合に、この充電ソケットは、電池の端子１１、１２を充電器１００の端子１０１、１０２に接続するように意図されていると共に／又は、充電を実行するために閉鎖されなければならないパネルの閉鎖が検出されると共に／又は、充電を実行するために作動しなければならない機械的部材の作動が検出されると共に／又は、電池の通信バスを介した充電器に由来する状態フレームの受取りが検出される。
【００９２】
制御手段２００は、電池のｉ番目の充電について、充電端子が充電器に対して接続されたことを検出器が検出したという事実に応答して、その関連付けられたバイパス回路ＣＰＣｊに対する複数のセルの接続をトリガし、且つ、電池のｉ番目の充電についてセルｊとそれぞれ関連付けられた第１先取りバイパス時間ＴＰｊｉにおいてその関連付けられたバイパス回路ＣＰＣｊに対するそれぞれのセルｊの接続を維持するように、設計されている。
【００９３】
制御手段２００は、第１先取りバイパス時間ＴＰｊｉの末尾において、セルｊの電圧Ｖｊｉが予め設定されたＶＬＩＭに到達する時点まで、電池のｉ番目の充電用の第２の関連付けられたフェーズＣｊｉにおいてそれぞれのセルｊと関連付けられたバイパス回路ＣＰＣｊを接続切断するように、設計されている。
【００９４】
図５及び図６は、例示を目的とした数値例として、括弧の間に、ｉ−１番目の充電用のこれらの第１及び第３の期間とその合計の数値ＴＰ＋Ｍと、セルｊ、ｋ、ｌ、ｍ、ｐ、ｑ、ｒのｉ充電における第１先取りバイパス時間について算出された対応する数値と、を示している。
【００９５】
本発明は、予め設定された電圧ＶＬＩＭに既に到達したセルに対して電気エネルギーを供給しなければならないことを回避し、これにより、その特性の劣化を防止し、且つ、具体的には、そのエージングの加速を防止している。従って、本発明によれば、セルの第２充電フェーズＣｊｉを近接した時点において終了させることが可能であり、或いは、すべてのセルｊについて、この第２フェーズＣｊｉの終了時間を実際的に同一にすることが可能である。又、セルｊの充電維持第３フェーズの持続時間Ｍｊｉも低減され、これによっても、セル特性の劣化が防止されることになる。
【００９６】
更には、本発明の方法は、自己適応型である。この方法は、セルの動作の変動に対して、具体的には、セルがその予め設定された電圧ＶＬＩＭに到達する時点までのセルの充電時間の変動に対して、適合する。従って、数回の充電動作の後に、場合によっては、実際的に２回の充電動作のみの後にさえも、２回目の充電フェーズが実際に同一の時間においてすべてが終了することが可能であり、且つ、従って、非常に短い充電維持第３フェーズを得ることが可能である。
【００９７】
又、それぞれの充電が実際にすべてのセルの第１先取りバイパスフェーズによって始まるようにすることにより、セルが最大でその予め設定された電圧ＶＬＩＭに充電された際にこの迂回を実行することが可能であり、この結果、過大な需要の印加が防止される。
【００９８】
セルの充電維持第３フェーズの低減により、充電維持フェーズにおいて一般に発生する充電／放電マイクロサイクルが回避され、且つ、従って、電池１０の充電時間を増大させることなしに、セルの経年劣化が制限される。
【００９９】
更には、バイパス回路ＣＰＣｊに送られる電流が、充電の開始の際に発生する第１バイパスフェーズにおいては、相対的に小さいことから、このバイパス回路の接続に起因してジュール効果によって放散される熱が相対的に小さくなる。この結果、バイパス回路によって生成される更なる制御されていない加熱の電池加熱要素に対する追加が回避されることから電池セルの動作の混乱が防止される。従って、電池の充電に使用されるエネルギーが相対的に小さくなる。
【０１００】
一実施形態においては、更なる充電及び放電マイクロサイクルを回避するべく、例えば、電池が充電されたと判断されたら、充電器１００を電池１０の充電端子１１、１２から接続切断し、これにより、電池１０を適合された温度において保持するように意図された加熱要素のみが充電器に接続された状態に留まるようにすることができる。これにより、エネルギー消費量も小さくなる。
【０１０１】
以上においては、予め設定されたＶＬＩＭは、バイパス回路が再度接続される電圧である。この場合に、予め設定された電圧ＶＬＩＭは、例えば、基本セルｊが充電されると考えられる電圧（閾値充電電圧）にも対応しているが、これは、閾値充電電圧と異なってもよいであろう。この予め設定された電圧ＶＬＩＭは、例えば、セルｊ用の最大規定充電電圧である。予め設定された電圧ＶＬＩＭは、例えば、すべてのセルｊについて同一であってもよく、或いは、セルごとに異なってもよい。閾値充電電圧は、例えば、すべてのセルｊについて同一であってもよく、或いは、セルごとに異なってもよい。
【０１０２】
一実施形態においては、予め設定された電圧ＶＬＩＭをパラメータ化することができる。
【０１０３】
一実施形態においては、閾値充電電圧をパラメータ化することができる。例えば、予め設定された電圧ＶＬＩＭは、メモリ２１内に予め記録される。
【０１０４】
例えば、閾値充電電圧は、メモリ２１内に予め記録される。
【０１０５】
充電維持第３フェーズＭｊｉが提供されている一実施形態においては、この第３フェーズは、次の充電ｉ＋１用の期間ＴＰｊｉ＋１の補正を許容する。
【０１０６】
その他の実施形態においては、第１先取りバイパス時間ＴＰｊｉは、例えば、これらの第１及び第３フェーズの平均時間値を考慮することにより、いくつかの以前の充電動作のいくつかの第１フェーズＴＰｊ及びいくつかの第３フェーズＭｊを考慮してもよい。
【０１０７】
方法は、１回目の充電動作において、上述の単一の計測ステップも含んでもよく、その他の充電動作は、この計測ステップ（例えば、第１のもの）において計測されたデータに基づいて実行される。異なるセルに関係した理論値を使用することにより、異なる期間を判定することもできよう。但し、これらの実施形態は、好適な実施形態ではなく、その理由は、これらの実施形態は、その寿命の全体を通じてセルが経験する変化を考慮していないからである。
【０１０８】
図７において、１回目の充電において、セルは、そのすべてが同一の時点において予め設定された電圧ＶＬＩＭに到達しておらず、且つ、従って、同一の時点において始まらない充電維持第３フェーズを有していることを観察することが可能であり、その理由は、この図に示されているセルの電圧曲線が重なっていないからである。
【０１０９】
図８においては、ｉ番目の充電について、電圧曲線は、ほとんど、且つ、図７におけるよりも格段に、重なっており、且つ、セルは、その予め設定された電圧ＶＬＩＭにほとんど同時に到達し、且つ、従って、ほとんど同時に始まる充電維持第３フェーズを有していることを観察することができる。これは、システムの効能を立証している。
【０１１０】
別の実施形態においては、ｉ番目の充電についてセルｊとそれぞれ関連付けられた第１先取りバイパス時間ＴＰｊｉは、以下：
ＴＰｊｉ＝  ａ．（ＴＰｊｉ−１＋Ｍｊｉ−１）−ｂ．ｍｉｎｊ（ＴＰｊｉ−１＋Ｍｊｉ−１）
のように算出され、ここで、ｍｉｎｊ（ＴＰｊｉ−１＋Ｍｊｉ−１）は、セルｊ上における最小のＴＰｊｉ−１＋Ｍｊｉ−１を表しており、且つ、ａ及びｂは、規定された非ゼロの係数である。これらの係数は、例えば、充電器に対するその接続時点における電池の充電レベルに関係している。
【図１】
2015527035.tif 000003
【図２】
2015527035.tif 000004
【図３】
2015527035.tif 000005
【図４】
2015527035.tif 000006
【図５】
2015527035.tif 000007
【図６】
2015527035.tif 000008
【図７】
2015527035.tif 000009
【図８】
2015527035.tif 000010
【国際調査報告】
2015527035.tif 000011
2015527035.tif 000012
2015527035.tif 000013
2015527035.tif 000014